(57)【特許請求の範囲】
【請求項１】
入力軸とプラネタリ装置のメンバとを油圧によって作動される複数の係合要素により係脱して各変速段に切換える自動変速機の油圧制御回路において、
車両の運転状況に応じて発生させた電気信号によって作動され、入力側油路に供給される前記油圧を出力側油路に対し断続する複数のシフト装置と、
前記出力側油路あるいは前記出力側油路及び前記入力側油路に連通する複数の入力ポートと、前記複数の係合要素の全てにそれぞれ対応して連通し前記複数の入力ポートにそれぞれ対応して連通状態及び遮断状態をとる複数の出力ポートと、常時付勢されて基準位置で前記遮断状態を形成し前記複数の入力ポートのうち特定の入力ポートに前記油圧が供給されたとき該油圧に駆動されて作動位置に移動し前記連通状態を形成するスプールとで構成されるバルブ装置と、を具備し、
前記特定の入力ポートに前記油圧が供給されたとき、前記スプールが前記作動位置に正常に移動した場合は前記連通状態となり前記係合要素へ前記油圧が供給され、前記スプールが故障により前記基準位置から不動の場合は前記遮断状態のままで前記係合要素へ前記油圧が供給されないことを特徴とする自動変速機の油圧制御回路。
【請求項２】
前記バルブ装置を二以上具備し、第一のバルブ装置の特定の出力ポートを第二以降のバルブ装置の入力ポートに連通させた請求項１記載の自動変速機の油圧制御回路。
【発明の詳細な説明】
【０００１】
【発明の属する技術分野】
本発明は、ライン油圧を断続する複数の電気式シフト装置を車両の運転状況に応じて発生させた信号によって作動させ、上記信号に対応した信号油圧を発生して切換手段を作動させることにより、入力軸とプラネタリ装置のメンバとを所定の変速段となるように係脱させる自動変速機の油圧制御回路に関する。
【０００２】
【従来の技術】
従来の一般的な自動変速機における油圧制御回路は、プラネタリー装置の変速段を切換える複数のシフト装置が１−２速シフト用、２−３速シフト用及び３−４速シフト用として設けられている。しかし、このような自動変速機では変速ショックを一方向クラッチとアキュームレータの作用やスロットルの変化に対応して油圧の高低を変化させる等して防止する必要があり、多くのバルブ類を必要としている。
【０００３】
ところで、米国特許第３７５４４８２号公報や、特開平６３−２１０４４３号公報には、車両の運転状況に応じて発生させた電気信号で駆動されるシフト装置群を設け、クラッチ、ブレーキ等の各係合要素における油路への油圧の給排状態を切換えることにより各変速段を成立させようにした自動変速機の油圧制御回路が開示されいる。
【０００４】
このような油圧制御回路では、電子制御装置により予め設定された変速線に基づいて上記電気信号を発生し、運転状況に応じて変速ショックが可及的に減じられるタイミングで各シフト装置を駆動し、自動変速機に１方向クラッチを設けたり、スロットルバルブやモジュレータバルブを設ける必要がなくなり、省スペースな油圧制御回路を構成できる。
【０００５】
【発明が解決しようとする課題】
ところで、図３には上記電気的シフト装置群によって油圧の給排状態を切換え変速を行う油圧制御回路の一例が示されている。
図３において、符号ＳＶ１〜ＳＶ３は可動鉄心による弁開閉動作によって入力側油路ｉの油圧を出力側油路ｏに導出するソレノイドバルブ（以下、シフト装置という）であり、その入力側油路ｉには図略のマニュアルシフトバルブ、レギュレータバルブ等からライン油圧Ｐｒが供給されており、図示しない電子制御装置からの電気信号によって弁開閉が制御されるようになっている。ただし、シフト装置ＳＶ１、ＳＶ２はノーマルオープン形、シフト装置ＳＶ３はノーマルクローズド形である。
【０００６】
１、２はそれぞれ上記シフト装置ＳＶ１〜ＳＶ３の各出力側油路ｏに導出された信号油圧に基づいて、ここでは四つの係合要素Ｃ１、Ｃ２（クラッチ）、Ｂ０及びＢ１（ブレーキ）の係脱を設定するスプール型のバルブ装置（切換手段）であり、バルブ装置１はそれぞれ油路３、４及び５をと通して係合要素Ｃ２、Ｂ０及びＢ１へ油圧を供給可能に構成され、切換えバルブ２はそれぞれ油路６及び７を通して係合要素Ｃ１及びＢ１へ油圧を供給可能に構成される。
【０００７】
上記油圧制御回路は、前進モードにおいて各シフト装置ＳＶ１〜ＳＶ３が作動状態を次表１のように切換えることによって各変速段（１速〜４速）を成立させる。
【０００８】
【表１】
0003630253.tif 000002
例えば１速時には、シフト装置ＳＶ２、ＳＶ３が信号によって駆動され、シフト装置ＳＶ１とＳＶ３の出力側油路ｏに信号油圧Ｐ１、Ｐ３が導出する。信号油圧Ｐ１はバルブ装置１、２に供給され、バルブ装置１は主に信号油圧Ｐ１により、バルブ装置２は主にライン油圧Ｐｒにより、各スプールを右Ｒに位置させる。これにより信号油圧Ｐ１がバルブ装置２の流路を介して油路６に導出され係合要素Ｃ１を係合動作させると共に、信号油圧Ｐ３が油路５を通して係合要素Ｂ１を係合動作させて、１速状態を成立させる。また、２速時には、シフト装置ＳＶ１、ＳＶ３が信号によって駆動され、シフト装置ＳＶ２とＳＶ３の出力側油路ｏに信号油圧Ｐ２とＰ３が導出する。信号油圧Ｐ２はバルブ装置１、２に供給され、バルブ装置２は主に信号油圧Ｐ２によりスプールを左Ｌに位置され、バルブ装置１は主に信号油圧Ｐ２によりスプールを右Ｒに位置させる。これにより信号油圧Ｐ２がバルブ装置１の流路を介して油路３に導出され係合要素Ｃ２を係合動作させ、信号油圧Ｐ３が油路５を通して係合要素Ｂ１を係合動作させて、２速状態を成立させる。因みに３速時は、シフト装置ＳＶ１とＳＶ２に信号油圧Ｐ１、Ｐ２が導出し、バルブ装置１は主に信号油圧Ｐ１により右Ｒに位置され、バルブ装置２は主にライン油圧Ｐｒにより右Ｒに位置される。また、４速時は、シフト装置ＳＶ２、ＳＶ３に信号油圧Ｐ２、Ｐ３が導出し、バルブ装置１はスプリング８の力によって左Ｌに位置され、バルブ装置２は主にライン油圧Ｐｒによって右Ｒに位置される。
【０００９】
しかしながら、上記構成の油圧制御回路では、例えば１速時、バルブ装置１が作動油中の異物、或は油漏れ等により不動となると（以下、この現象をバルブスティックという）、変速段で係合を必要とする係合要素以外の係合要素へ油圧が供給されたり、必要な係合要素へ油圧が供給されなくなって、二重係合等を生じて所望の変速段への切換えが不能になる虞れがある。
【００１０】
例えば１速時において、右Ｒへ移動すべきバルブ装置２のスプールが左Ｌに位置した固定状態になると、係合要素Ｂ１にだけ油圧が供給され、係合要素Ｃ１へ油圧が供給されなくなり、変速機はＮ（ニュートラル状態）モードに固定されてまう。この場合は、１速、すなわち前進モードがＮモードになるだけで走行に支障は生じないが、バルブ装置１においてバルブスティックが発生すると、右Ｒに位置すべきバルブ装置１のスプールが左Ｌに位置をとり、この場合、シフト装置ＳＶ３へ供給されているライン油圧Ｐｒが油路３へ導出され、係合要素Ｃ１とＣ２とが共に係合したに二重係合を生じ、正常に動力が伝達されなくなる。表２は図３のような油圧制御回路の各変速段で生じるダブルロックを示す。
【００１１】
【表２】
0003630253.tif 000003
上表２において、１速〜３速においてバルブ装置１がバルブスティックを生じたときと、２速時においてバルブ装置２がバルブスティックを生じたときに二重係合の問題がある。
【００１２】
本発明は上記問題点に鑑みてなされたもので、バルブ装置がバルブスティックの故障を生じたときに、二重係合現象を確実に回避することを解決すべき課題とする。
【００１３】
【課題を解決するための手段】
上記課題を解決する本発明の自動変速機の油圧制御回路は、入力軸とプラネタリ装置のメンバとを油圧によって作動される複数の係合要素により係脱して各変速段に切換える自動変速機の油圧制御回路において、 車両の運転状況に応じて発生させた電気信号によって作動され、入力側油路に供給される前記油圧を出力側油路に対し断続する複数のシフト装置と、前記出力側油路あるいは前記出力側油路及び前記入力側油路に連通する複数の入力ポートと、前記複数の係合要素の全てにそれぞれ対応して連通し前記複数の入力ポートにそれぞれ対応して連通状態及び遮断状態をとる複数の出力ポートと、常時付勢されて基準位置で前記遮断状態を形成し前記複数の入力ポートのうち特定の入力ポートに前記油圧が供給されたとき該油圧に駆動されて作動位置に移動し前記連通状態を形成するスプールとで構成されるバルブ装置と、を具備し、前記特定の入力ポートに前記油圧が供給されたとき、前記スプールが前記作動位置に正常に移動した場合は前記連通状態となり前記係合要素へ前記油圧が供給され、前記スプールが故障により前記基準位置から不動の場合は前記遮断状態のままで前記係合要素へ前記油圧が供給されないことを特徴とする。
【００１４】
また、前記バルブ装置を二以上具備し、第一のバルブ装置の特定の出力ポートを第二以降のバルブ装置の入力ポートに連通させるようにしてもよい。
係合要素の点数が多い場合は、二以上のバルブ装置の出力ポートに分散して連通させることになる。このときには、第一のバルブ装置の特定の出力ポートを第二以降のバルブ装置の入力ポートに連通させて、第二以降のバルブ装置で断続制御してやればよい。
【００１５】
【発明の実施の形態】
本発明の実施形態は、入力軸とプラネタリ装置のメンバとを油圧によって作動される複数の係合要素により係脱して各変速段に切換える自動変速機において、エンジンの回転によってライン油圧の元となる供給油圧を発生するオイルポンプと、上記ライン油圧を油圧制御回路側に導出する油圧供給手段と、車両の運転状況に応じて発生させた電気信号によって作動され、その入力側油路に上記油圧供給手段から送給されるライン油圧を出力側油路に対し断続する第１、第２及び第３のシフト装置と、各スプールを収嵌した二以上のバルブ装置からなる。
車両の運転状況に応じて発生させた電気信号とは、変速段の選択信号であり、例えば１速から４速に対応して表１に示されるようにシフト装置ＳＶ１、ＳＶ２、ＳＶ３が通電され、開閉制御されている。各シフト装置の出力側油路は、第一のバルブ装置の入力ポートに連通している。また、第一のバルブ装置の出力ポートは複数の係合要素にそれぞれ対応して連通するとともに、特定の出力ポートは第二以降のバルブ装置の入力ポートに連通している。第一のバルブ装置のスプールは、常時付勢されて基準位置で入力ポートと出力ポートとの間を遮断状態としている。第一のバルブ装置の特定の入力ポートに油圧が供給されたとき、スプールは該油圧に駆動されて作動位置に移動し入力ポートと出力ポートとの間は連通状態となる。
第二以降のバルブ装置の入力ポートには、第一のバルブ装置の特定の出力ポートと入力側油路及び出力側油路が連通し、出力ポートには第一のバルブ装置に連通していない残りの係合要素が連通している。
【００１６】
上記構成の自動変速機の油圧制御回路は、エンジンが回転すると、オイルポンプの作動によってライン油圧が発生し、ドライブレンジ（前進モード）にマニュアル設定されると、油圧供給手段から各シフト装置の入力側油路にライン油圧が導かれる。各シフト装置の入力側油路に導かれたライン油圧は、弁通路を開くように電気信号によって駆動されたシフト装置の出力側油路に信号油圧として導出される。そして、信号油圧を導出したいずれかのシフト装置における出力側油路からの信号油圧は、切換手段を構成するバルブ装置群に供給される。
【００１７】
バルブ装置群は、スプールの所定弁部（ランド）が受ける受圧面積の差、あるいは信号油圧と予め供給されているライン油圧との油圧差によってスプールが移動され、移動後に所定係合要素への油路と信号油圧が供給されたポートもしくはライン油圧が供給されているポートとが連通すると、上記所定係合要素が係合動作して選択された変速段に切換えられる。
【００１８】
好適な実施形態において、第一のバルブ装置のスプールが故障により基準位置から動かない場合は遮断状態のままで、係合要素及び第二以降のバルブ装置へは油圧が供給されない。この具体的な構成は、スプールの１ランドによって断続される一組の入力ポート及び出力ポートと、遮断時に出力ポートと連通し油の排出機能を有した別ポートとによって実現されている。
【００１９】
上記好適な実施形態では、入力ポートに信号油圧が供給されたとき、スプールが作動位置に移動しないと、係合要素または第二以降のバルブ装置に連通した出力ポートが別ポートと連通する。この結果、入力ポート側の信号油圧はどこへも供給されない。また、出力ポート側の油圧は、油の排出機能を有した別ポートから排出される。
【００２０】
【実施例】
以下、本発明の自動変速機の油圧制御回路を図１及び図２に示す具体的一実施例によって詳細に説明する。ただし、変速機は表１と同様の係合要素をもつものとする。
図１において、符号１１はエンジンによって駆動されるオイルポンプであり、ストレーナ１２を介してオイルパン１３上の油を吸上げる。オイルポンプ１１によって汲上げられた油はプライマリレギュレータ１４及びセカンダリレギュレータ１５に供給され、プライマリレギュレータ１４は調圧されたライン油圧１４ａを導出し、セカンダリレギュレータ１５はトルクコンバータ（図示略）へのコンバータ油圧１５ａを導出する。
【００２１】
上記ライン油圧１４ａは前進（Ｄ−２−Ｌ）と後進の切換えを行うマニュアルバルブ１６へ供給され、該マニュアルバルブ１６へ供給されたライン油圧１４ａは本発明の油圧制御回路２１にライン油圧１６ａとして導出されるとともに、別系統でライン油圧１７ａを油圧制御回路２１に導出するシグナルバルブ１７に供給されている。また、プライマリレギュレータ１４からのライン油圧１４ａは、更に別系統として直接に油圧制御回路２１に供給されている。
【００２２】
しかして、油圧制御回路２１は、上記プライマリレギュレータ１４のライン油圧１４ａが入力側油路１８ａに供給され該入力側油路１８ａのライン油圧１４ａを出力側油路１８ｂに対し断続する第１シフト装置１８と、上記シグナルバルブ１７からのライン油圧１７ａが入力側油路１９ａに供給され該入力側油路１９ａのライン油圧１７ａを出力側油路１９ｂに対し断続する第２シフト装置１９と、上記マニュアルバルブ１６からのライン油圧１６ａが入力側油路２０ａに供給され該入力側油路２０ａのライン油圧１７ａを出力側油路２０ｂに対し断続する第３シフト装置２０とを備える。第１及び第２シフト装置１８、１９は３方向ノーマルオープン形の電磁弁、第３シフト装置２０は３方向ノーマルクローズ形の電磁弁であり、入出力側油路以外の通路路は油が排出される。
【００２３】
更に油圧制御回路２１は図２に拡大して示すように、入力ポートＩ１〜Ｉ４、出力ポートＯ１〜Ｏ４を有し、スプリング２４によって常に一方方向（以下、図面で左方向とする）に付勢されるスプールＳが、上記入力ポートＩ１と出力ポートＯ１間、入力ポートＩ２と出力ポートＯ２間及び入力ポートＩ２と出力ポートＯ１間並びに入力ポートＩ３と出力ポートＯ３間及び入力ポートＩ４と出力ポートＯ４間の連通と遮断を切換える第１バルブ装置２２と、入力ポートＩ５〜Ｉ８及び出力ポートＯ５を有し、スプールＳが入力ポートＩ７と出力ポートＯ５間の連通と遮断を切換える第２バルブ装置２３とを具備している。本実施例では、上記両バルブ装置２２、２３によって変速段を切換える切換手段が構成される。
【００２４】
ここで、スプールＳがスプリング２４によって左Ｌに付勢されている位置が基準位置であり、右Ｒに移動した位置が作動位置である。第１バルブ装置２２の入力ポートＩ３と出力ポートＯ３とは、スプールＳが右Ｒに位置するとき連通し、左Ｌに位置するときランドａによって遮断されると同時に出力ポートＯ３が絞りポートＡと連通する。同様に、第１バルブ装置２２の入力ポートＩと出力ポートＯ４とは、スプールＳが右Ｒに位置するとき連通し、左Ｌに位置するときランドａによって遮断されると同時に出力ポートＯ４が絞りポートＢと連通する。
【００２５】
詳述すれば、第１シフト装置１８の出力側油路１８ｂは、第１バルブ装置２２の入力ポートＩ４に接続され、第２シフト装置１９の出力側油路１９ｂは（シグナルバルブ１７を介して）第１バルブ装置２２の入力ポートＩ２及び第２バルブ装置２３の入力ポートＩ６に接続され、第３シフト装置２０の出力側油路２０ｂは第１バルブ装置２２の入力ポートＩ３及び第２バルブ装置２３の入力ポートＩ５に接続される。また、第１シフト装置１８の入力側油路１８ａは第２バルブ装置２３の入力ポートＩ８に接続され、第３シフト装置２０の入力側油路２０ａは第１バルブ装置２２の入力ポートＩ１に接続されるとともに、チェックボール弁２５を介してアキュームレータ２６に接続される。アキュームレータ２６は第３シフト装置２０の出力側油路２０ｂにおける信号油圧Ｐ３を調圧するもので、その出力油路２６ａは第１バルブ装置２２の出力ポートＯ３及び係合要素Ｂ１への油路３１に接続される。同様の構成は、第２シフト装置１９の出力側油路１９ｂにもアキュームレータ２７が接続され、第１シフト装置１８の出力側油路１８ｂに対しては第２バルブ装置２３の出力ポートＩ５に接続された係合要素Ｃ１への油路３３にアキュームレータ２８が接続されている。このアキュームレータ２８の場合、第１バルブ装置２２の出力ポートＯ４と第２バルブ装置２３の入力ポートＩ７とが油路３５にて接続され、第１バルブ装置２２の入力ポートＩ４と出力ポートＯ４が連通し、かつ、第２バルブ装置２３の入力ポートＩ７と出力ポートＯ５が連通したとき実効がある。
【００２６】
なお、第１バルブ装置２２の出力ポートＯ１は係合要素Ｃ２への油路３４に接続され、第１バルブ装置２２の出力ポートＯ２は係合要素Ｂ０への油路３２に接続される。
また、本実施例では、ロックアップ（Ｌ／Ｕ）クラッチ付きの自動変速機に適用したもので、ライン油圧１４ａによって駆動されるＬ／Ｕ制御バルブ２９をもち、該Ｌ／Ｕ制御バルブ２９にはセカンダリレギュレータ１５が導出するコンバータ油圧１５ａと、ソレノイドバルブ３０を介して係合要素Ｃ２への油圧とが供給される。このＬ／Ｕ制御バルブ２９の動作は周知のため説明は省略する。なお、Ｌ／Ｕ制御の油はオイルクーラ３６で冷却される。
【００２７】
以上の構成よりなる自動変速機の油圧制御回路は、前進モードにおいて、マニュアルバルブ１６よりライン油圧１６ａが導出され、シグナルバルブ１７は左Ｌに位置して、各シフト装置１８、１９、２０には、それぞれライン油圧１４ａ、１７ａ、１６ａが供給される。以下、表１も参照して各変速段ごとに動作を説明する。なお、第１シフト装置１８はＳＶ１に、第２シフト装置１９はＳＶ２に、第３シフト装置２０はＳＶ３に対応している。
【００２８】
１速時には、作動表１に示すように、ノーマルオープンの第１シフト装置１８における出力側油路１８ａに信号油圧Ｐ１が導出し、第１バルブ装置２２の入力ポートＩ４を通して広面積のランドｂに右方向の油圧がかかり、スプリング２４の力に抗してスプールＳが右方向に移動される。この入力ポートＩ４の信号油圧Ｐ１はスプールＳが右Ｒに位置すると、入力ポートＩ４と出力ポートＯ４とが連通するので、油路３５を通して第２バルブ装置２３の入力ポートＩ７に油圧を供給する。また、ノーマルクローズの第３シフト装置２０における出力側油路２０ｂに信号油圧Ｐ３が導出し、第１バルブ装置２２の入力ポートＩ３及び出力ポートＯ３を通して油路３１に油圧がかかる。これにより係合要素Ｂ１が係合する。一方、第２バルブ装置２３にはライン油圧１４ａが左端室に供給されており、右端室に供給される信号油圧Ｐ３より勝った力でスプールＳを右Ｒに移動させる。これにより入力ポートＩ７と出力ポートＯ５が連通し、油路３３に油圧がかかって係合要素Ｃ１を係合させる。
【００２９】
２速時には、第２シフト装置１９の出力側油路１９ｂに信号油圧Ｐ２が導出し、第１バルブ装置２２の入力ポートＩ２に油圧が供給される。また、第３シフト装置２０の出力側油路２０ｂに信号油圧Ｐ３が継続して導出しており、同信号油圧Ｐ３が第１バルブ装置２２の入力ポートＩ３を通して左端室に作用し、スプリング２４の力に勝り、スプールＳの右位置を保持する。これにより、入力ポートＩ３から出力ポートＯを通り油路３１に油圧がかかって係合要素Ｂ１を係合させるとともに、入力ポートＩ２から出力ポートＯ１を通り油路３４に油圧が供給されて係合要素Ｃ２を係合させる。この２速時には、第２バルブ装置２３は、信号油圧Ｐ３が右端室に作用し、かつ、信号油圧Ｐ２が左方向に作用するため、左Ｌに位置する。
【００３０】
３速時には、第１シフト装置１８の出力側油路１８ｂに信号油圧Ｐ１が導出して１速時と同様に第１バルブ装置２２のスプールＳを右位置に保持するとともに、同信号油圧Ｐ１が油路３５を通り第２バルブ装置２３を介して油路３３に油圧を供給し、係合要素Ｃ１を係合させる。また、第２シフト装置１９の出力側油路１９ｂに信号油圧Ｐ２が導出し、入力ポートＩ２から出力ポートＯ１を通り油路３４に油圧が供給されて係合要素Ｃ２を係合させる。第２バルブ装置２３は、２速時、右端室に作用していた信号油圧Ｐ３がなくなるので、ライン油圧１４ａの力により右Ｒに位置する。
【００３１】
４速時には、第２シフト装置１９の出力側油路１９ｂにだけ信号油圧Ｐ２が導出し、第１バルブ装置２２の入力ポートＩ２に油圧が供給される。そして第１バルブ装置２２は、その入力ポートＩ４及び入力ポートＩ３には油圧が供給されないので、スプリング２４の力が勝ってスプールＳを左Ｌに位置させる。これにより、第１バルブ装置２２は入力ポートＩ１と出力ポートＯ１及び入力ポートＩ２と出力ポートＯ２が連通する。従って入力ポートＩ２に供給されている信号油圧Ｐ２が出力ポートＯ２を通して油路３２に供給され係合要素Ｂ０を係合させる。また、入力ポートＩ１に供給されているライン油圧１６ａが入力ポートＩ１から出力ポートＯ１を通り油路３４に供給され、係合要素Ｃ２を係合させる。第２バルブ装置２３はライン油圧１４ａによって右Ｒに位置する。
【００３２】
ところで、上記第１バルブ装置２２の入力ポートＩ４、出力ポートＯ４及び絞りポートＢと、入力ポートＩ３、出力ポートＯ３及び絞りポートＡは、スプールＳが右Ｒに移動したとき、Ｉ４−Ｏ４及びＩ３−Ｏ４が連通し、かつ、Ｏ３−Ａ及びＯ４−Ｂが遮断する。また、スプールＳが左Ｌに移動したとき、Ｉ４−Ｏ４及びＩ３−Ｏ４が遮断し、かつ、Ｏ３−Ａ及びＯ４−Ｂが連通する。このため、第１バルブ装置２２でバルブのスプールＳが移動せずバルブスティックを生じたとき、入力ポートＩ３又はＩ４に入力した油圧は、それぞれ出力ポートＯ３と絞りポートＡ又は出力ポートＯ４と絞りポートＢが連通することにより、係合要素Ｂ１への油圧の排出又は第２バルブ装置２３への油圧を排出し、係合要素Ｂ１又はＣ１へ油圧を供給しなくなる。従って、作動表に設定された係合要素以外の組合わせで油圧が供給されることを回避して二重係合を確実に防止可能となる。
【００３３】
次表３は本実施例の油圧制御回路２１でバルブスティックが発生した場合に、実際のレンジがいずれに設定されるかを表記したものである。
【００３４】
【表３】
0003630253.tif 000004
このように１速〜２速の前進モードにおいて、バルブスティックが発生しても、実際に変位するモードはニュートラルないし前進モードのいずれかとなり、二重係合現象の発生は確実に阻止される。
【００３５】
なお、本発明は特許請求の範囲に記載通りの構成を具備するもので、上記実施例の構成に限定されることなく、スプールの形状等によって種々の変形態様が考えられる。
【００３６】
【発明の効果】
以上述べたように本発明によれば、自動変速機における油圧制御回路でバルブスティックが生じても、係合要素の二重係合現象を確実に防止することができる。
【図面の簡単な説明】
【図１】本発明の一実施例に係る自動変速機の油圧制御回路を示す回路図である。
【図２】前進モードにおける図１の油圧制御回路を示す回路図である。
【図３】本発明の前提となった油圧制御回路を示す回路図である。
【符号の説明】
１８〜２０はシフト装置、２１は油圧制御回路、２２及び２３はバルブ装置（切換手段）である。
【図１】
0003630253.tif 000005
【図２】
0003630253.tif 000006
【図３】
0003630253.tif 000007